(57)【要約】【課題】壁のコストの低減および強度の向上を図る。【解決手段】建物の壁構造は、上下方向に互いに間隔をあけて配置された一対のランナーと、上端部および下端部が一対のランナーにそれぞれ嵌め入れられたＣ型鋼であるスタッド（４）と、スタッドの上端部および下端部の少なくとも一方に取り付けられた補強具（５）とを備える。スタッド（４）は、開口（４３ａ）と開口の両脇に位置する一対の縁部（４３ｂ）とを有する開放面部（４３）、および、開放面部に対面する閉鎖面部（４１）を含む。補強具（５）は、スタッドの開放面部（４３）における一対の縁部（４３ｂ）の間隔が縮まることを防止するための間隔維持部と、スタッドの閉鎖面部（４１）の幅方向両端に位置する第１および第２のコーナー部（４４ａ，４４ｂ）の角度が変形することを防止するための角度維持部とを含む。【選択図】図３
2019116738.tif 000002
【特許請求の範囲】
【請求項１】
上下方向に互いに間隔をあけて配置された一対のランナーと、
上端部および下端部が前記一対のランナーにそれぞれ嵌め入れられたＣ型鋼であって、開口と前記開口の両脇に位置する一対の縁部とを有する開放面部、および、前記開放面部に対面する閉鎖面部を含むスタッドと、
前記スタッドの上端部および下端部の少なくとも一方に取り付けられた補強具とを備え、
前記補強具は、前記スタッドの前記開放面部における前記一対の縁部の間隔が縮まることを防止するための間隔維持部と、前記スタッドの前記閉鎖面部の幅方向両端に位置する第１および第２のコーナー部の角度が変形することを防止するための角度維持部とを含む、建物の壁構造。
【請求項２】
前記補強具の前記角度維持部は、前記第１および第２のコーナー部の各々の内側面に当接するコーナー当接部と、前記コーナー当接部同士を接続する接続部とを有する、請求項１に記載の建物の壁構造。
【請求項３】
前記補強具の前記間隔維持部は、前記スタッドの前記各縁部を挟み込む挟持部と、前記挟持部同士を接続する接続部とを有する、請求項１または２に記載の建物の壁構造。
【請求項４】
前記補強具の前記間隔維持部は、前記スタッドの前記開放面部の幅方向両端に位置する第３および第４のコーナー部の互いに対面する内側面同士を突っ張る突っ張り部を有する、請求項１〜３のいずれかに記載の建物の壁構造。
【請求項５】
前記補強具は、前記角度維持部と前記間隔維持部とを連結する連結部をさらに含む、請求項１〜４のいずれかに記載の建物の壁構造。
【請求項６】
前記補強具は、前記スタッドの前記開放面部および前記閉鎖面部に直交して配置され、前記スタッドの縁部を受入れる切欠き部が設けられた板状部材により構成される、請求項５に記載の建物の壁構造。
【請求項７】
前記板状部材は略Ｌ字状に折り曲げられており、
前記補強具は、前記間隔維持部および前記角度維持部を形成する平板部と、前記平板部の端縁から上方に立ち上がり、前記スタッドの前記閉鎖面部、および、前記閉鎖面部に直交する直交面部のうちの少なくともいずれか一方に当接する立上り部とをさらに含む、請求項６に記載の建物の壁構造。
【請求項８】
上下方向に互いに間隔をあけて一対のランナーを配置する工程と、
補強具を準備する工程と、
開口と前記開口の両脇に位置する一対の縁部とを有する開放面部、および、前記開放面部に対面する閉鎖面部を含むＣ型鋼であるスタッドの端部に、補強具を取り付ける工程と、
前記補強具が取り付けられた前記スタッドの端部を前記ランナーに嵌め入れる工程とを備え、
前記補強具は、前記スタッドの前記開放面部における前記一対の縁部の間隔が縮まることを防止するための間隔維持部と、前記スタッドの前記閉鎖面部の幅方向両端に位置する第１および第２のコーナー部の角度が変形することを防止するための角度維持部とを含む、建物の壁の施工方法。
【請求項９】
一対のランナーによって上端部および下端部が保持されるスタッド用の補強具であって、
前記スタッドは、開口と前記開口の両脇に位置する一対の縁部とを有する開放面部、および、前記開放面部に対面する閉鎖面部を含むＣ型鋼であり、
前記スタッドの前記開放面部における前記一対の縁部の間隔が縮まることを防止するための間隔維持部と、前記スタッドの前記閉鎖面部の幅方向両端に位置する第１および第２のコーナー部の角度が変形することを防止するための角度維持部とを含む、補強具。
【発明の詳細な説明】
【技術分野】
【０００１】
本発明は、たとえば倉庫などの建物の壁構造、壁の施工方法、および補強具に関し、特に、軽量鉄骨を採用した建物の壁構造、壁の施工方法、および補強具に関する。
【背景技術】
【０００２】
軽量鉄骨を採用した建物の壁の柱材（スタッド）としては、閉鎖断面である角型鋼や、一辺に開口を有する開放断面のＣ型鋼（溝型鋼）が用いられる。
【０００３】
たとえば住戸間を仕切る界壁の柱材としては、特開平８−８２０２６号公報（特許文献１）および実開平７−２９１１１号公報（特許文献２）に示されるように、略溝型のスタッドが用いられている。これらの文献では、スタッド内に、上下方向に一定間隔で複数のスペーサを嵌め込むことで、スタッドの変形を抑制している。
【０００４】
一方で、たとえば倉庫の外壁および間仕切り壁など、比較的強度を必要とする壁には、角型鋼が柱材として用いられることが一般的である。
【先行技術文献】
【特許文献】
【０００５】
【特許文献１】特開平８−８２０２６号公報
【特許文献２】実開平７−２９１１１号公報
【発明の概要】
【発明が解決しようとする課題】
【０００６】
上述のように、比較的強度を必要とする壁には、角型鋼が柱材として用いられることが一般的であるが、角型鋼はＣ型鋼よりも高価である。そのため、壁の製造コストを抑えるためには、壁の柱材を角型鋼からＣ型鋼に変更することが有効であると考えられる。
【０００７】
しかしながら、このようなＣ型のスタッドは角型のスタッドよりも耐力が低いため、Ｃ型のスタッドに面外方向の高荷重が加えられた場合、スタッドは、捻じれにより上下のランナー内で回転し、ランナーから脱落するおそれがある。したがって、強度を要する壁の柱材として、Ｃ型のスタッドをそのまま（単体で）採用することは困難である。
【０００８】
また、特許文献１および２に示されるように、複数のスペーサを嵌め入れたスタッドが、住宅等の柱材として用いられることがあるが、Ｃ型鋼に従来のスペーサを嵌め込むだけでは壁の強度を十分に向上させることができない。
【０００９】
本発明は、上記のような課題を解決するためになされたものであって、その目的は、壁のコストの低減および強度の向上を図ることのできる建物の壁構造、壁の施工方法を提供することである。
【００１０】
また、このような壁構造に用いられる補強具を提供することも、他の目的とする。
【課題を解決するための手段】
【００１１】
この発明のある局面に従う建物の壁構造は、上下方向に互いに間隔をあけて配置された一対のランナーと、上端部および下端部が一対のランナーにそれぞれ嵌め入れられたＣ型鋼であるスタッドと、スタッドの上端部および下端部の少なくとも一方に取り付けられた補強具とを備える。スタッドは、開口と開口の両脇に位置する一対の縁部とを有する開放面部、および、開放面部に対面する閉鎖面部を含む。補強具は、スタッドの開放面部における一対の縁部の間隔が縮まることを防止するための間隔維持部と、スタッドの閉鎖面部の幅方向両端に位置する第１および第２のコーナー部の角度が変形することを防止するための角度維持部とを含む。
【００１２】
好ましくは、補強具の角度維持部は、第１および第２のコーナー部の各々の内側面に当接するコーナー当接部と、コーナー当接部同士を接続する接続部とを有する。
【００１３】
好ましくは、補強具の間隔維持部は、スタッドの各縁部を挟み込む挟持部と、挟持部同士を接続する接続部とを有する。
【００１４】
あるいは、補強具の間隔維持部は、スタッドの開放面部の幅方向両端に位置する第３および第４のコーナー部の互いに対面する内側面同士を突っ張る突っ張り部を有していてもよい。
【００１５】
好ましくは、補強具は、角度維持部と間隔維持部とを連結する連結部をさらに含む。
【００１６】
補強具は、スタッドの開放面部および閉鎖面部に直交して配置され、スタッドの縁部を受入れる切欠き部が設けられた板状部材により構成されることが望ましい。
【００１７】
この板状部材は略Ｌ字状に折り曲げられており、補強具は、間隔維持部および角度維持部を形成する平板部と、平板部の端縁から上方に立ち上がり、スタッドの閉鎖面部、および、閉鎖面部に直交する直交面部のうちの少なくともいずれか一方に当接する立上り部とをさらに含むことが、より望ましい。
【００１８】
この発明の他の局面に従う建物の壁の施工方法は、上下方向に互いに間隔をあけて一対のランナーを配置する工程と、補強具を準備する工程と、開口と開口の両脇に位置する一対の縁部とを有する開放面部、および、開放面部に対面する閉鎖面部を含むＣ型鋼であるスタッドの端部に、補強具を取り付ける工程と、補強具が取り付けられたスタッドの端部をランナーに嵌め入れる工程とを備える。上記補強具は、スタッドの開放面部における一対の縁部の間隔が縮まることを防止するための間隔維持部と、スタッドの閉鎖面部の幅方向両端に位置する第１および第２のコーナー部の角度が変形することを防止するための角度維持部とを含む。
【００１９】
この発明のさらに他の局面に従う補強具は、一対のランナーによって上端部および下端部が保持されるスタッド用の補強具である。スタッドは、開口と開口の両脇に位置する一対の縁部とを有する開放面部、および、開放面部に対面する閉鎖面部を含むＣ型鋼である。補強具は、スタッドの開放面部における一対の縁部の間隔が縮まることを防止するための間隔維持部と、スタッドの閉鎖面部の幅方向両端に位置する第１および第２のコーナー部の角度が変形することを防止するための角度維持部とを含む。
【発明の効果】
【００２０】
本発明によれば、壁のコストの低減および強度の向上を図ることができる。
【図面の簡単な説明】
【００２１】
【図１】本発明の実施の形態に係る壁構造の概略構成を模式的に示す図である。
【図２】本発明の実施の形態に係る壁構造の要部を模式的に示す斜視図である。
【図３】本発明の実施の形態において、スタッドの上端部に補強具が取り付けられた状態を示す斜視図である。
【図４】本発明の実施の形態に係る補強具の取り付け構造を示す断面図である。
【図５】本発明の実施の形態に係る補強具を示す斜視図である。
【図６】（Ａ）は、本発明の実施の形態に係る補強具がスタッドに取り付けられた場合において、スタッドにねじれの力が作用したときのスタッドの形状を模式的に示す図であり、（Ｂ）は、比較例として一般的なスペーサがスタッドに取り付けられた場合において、スタッドにねじれの力が作用したときのスタッドの形状を模式的に示す図である。
【図７】本発明の実施の形態に係る補強具が有する機能を概念的に示す図である。
【図８】補強具に設けられた立上り部の他の構成例を示す斜視図である。
【図９】補強具の他の構成例を模式的に示す図である。
【図１０】補強具のさらに他の構成例を模式的に示す図である。
【発明を実施するための形態】
【００２２】
本発明の実施の形態について図面を参照しながら詳細に説明する。なお、図中同一または相当部分には同一符号を付してその説明は繰返さない。
【００２３】
（壁構造の概略構成について）
図１および図２を参照して、本実施の形態に係る壁構造１の概略構成について説明する。壁構造１は、建物内において隣り合う２つの空間を仕切る間仕切り壁（区画壁）Ｗの構造である。なお、図１および図２に示す仮想面９０は、隣り合う２つの空間を仕切る仕切り面である。図１および図２には、この仕切り面９０の縦方向（上下方向）が矢印Ａ１で示され、仕切り面９０の横方向（左右方向）が矢印Ａ２で示されている。また、図２には、仕切り面９０に直交する方向が矢印Ａ３で示されている。矢印Ａ３の方向は、間仕切り壁Ｗの面外方向に相当する。
【００２４】
壁構造１は、上下方向に互いに間隔をあけて配置される一対のランナー２，３と、一対のランナー２，３によって保持され、互いに間隔をあけて配置される複数のスタッド４とを備える。
【００２５】
ランナー２は、間仕切り壁Ｗの下端に位置し、ランナー３は、間仕切り壁Ｗの上端に位置する。各ランナー２，３は、略Ｕ字状断面を有している。つまり、ランナー２は、幅方向両端部に一対の鍔部２２を有している。同様に、ランナー３は、幅方向両端部に一対の鍔部３２を有している。ランナー２，３の幅方向は、仕切り面９０に直交する方向に一致する。
【００２６】
各鍔部２２の下端は、梁などの躯体部９１の上面に面接触する底面部２１に連結されている。各鍔部３２の上端は、梁などの躯体部９２の下面に面接触する天面部３１に連結されている。
【００２７】
各スタッド４は、略矩形状（長方形状）の断面を有し、その上端部および下端部が一対のランナー３，２にそれぞれ嵌め入れられている。スタッド４は、Ｃ型鋼であり、開放面部４３と、開放面部４３に対面する閉鎖面部４１と、開放面部４３および閉鎖面部４１に直交する一対の直交面部４２とを含む。開放面部４３は、上下方向に延びる開口４３ａと、開口４３ａの両脇に位置する一対の縁部４３ｂとを有する。
【００２８】
開放面部４３および閉鎖面部４１の横幅寸法は、直交面部４２の横幅寸法よりも長い。そのため、以下の説明において直交面部４２を短辺部４２と称する。また、スタッド４の長辺方向（開放面部４３および閉鎖面部４１の横幅方向に沿う方向）を「幅方向」、スタッド４の短辺方向（短辺部４２の横幅方向に沿う方向）を「奥行き方向」という。
【００２９】
スタッド４は、閉鎖面部４１および開放面部４３が仕切り面９０に直交する方向（面外方向）に一致するように強軸配置される。この場合、スタッド４の短辺部４２に対して面材８０（図１）が固定される。面材８０はたとえば石膏ボードである。以下の説明において、スタッド４の上端部および下端部がランナー３，２にそれぞれ嵌め入れられた状態を、スタッド４の設置状態という。
【００３０】
スタッド４としては、一般に流通しているＣ型鋼が採用されており、その規定の外形幅寸法（閉鎖面部４１の規定の幅寸法）はたとえば１００ｍｍである。この場合、ランナー２，３の鍔部２２，３２間の間隔もたとえば１００ｍｍである。スタッド４の開口４３ａの規定の幅寸法はたとえば６０ｍｍであり、各縁部４３ｂの規定の幅寸法はたとえば２０ｍｍである。スタッド４の板厚寸法は、１．２ｍｍ以上であることが望ましく、１．６ｍｍ以上であることがより望ましい。
【００３１】
このようなスタッド４は、たとえば板厚１．２ｍｍの角型鋼よりも安価であるため、角型鋼を柱材とするよりも、間仕切り壁Ｗのコストを低減させることができる。
【００３２】
一方で、このようなＣ型のスタッド４の面外方向における耐荷重性は、角型鋼よりも低い。そのため、本実施の形態では、各スタッド４の下端部および上端部（つまり、ランナー２，３に嵌め入れられる部分）に、１個ずつ補強具５が取り付けられている。すなわち、スタッド４の上端部に取り付けられる補強具５は、ランナー３の鍔部３２の下端高さよりも上に配置され、スタッド４の下端部に取り付けられる補強具５は、ランナー２の鍔部２２の上端高さよりも下に配置される。
【００３３】
（補強具の構成例について）
図３〜図５を参照して、補強具５の構成例について説明する。なお、図３は、図２に示す領域ＩＩＩを拡大して示した図であり、スタッド４の上端部に補強具５が取り付けられた状態を示す斜視図である。図４は、補強具５の取り付け構造の断面図である。図５は、補強具５の斜視図である。
【００３４】
本実施の形態において、補強具５は、略Ｌ字状に折り曲げられた板状部材により構成されている。具体的には、補強具５は、設置状態において略水平に配置される平板部５１と、設置状態において略垂直に配置される立上り部５２とを含む。板状部材の材料は、たとえば金属である。
【００３５】
平板部５１は、略矩形形状であり、スタッド４の開放面部４３および閉鎖面部４１に直交して配置される。図４に示されるように、平板部５１の一辺の長さＬ１は、スタッド４の幅方向における外寸以下であって内寸に略等しい（幅方向の内寸と同じか、若干小さい）。これに対し、平板部５１の他辺（一辺に直交する辺）の長さＬ２は、スタッド４の奥行き方向における外寸よりも長く、平板部５１は、スタッド４の縁部４３ｂを受入れる切欠き部５３を有している。
【００３６】
そのため、平板部５１は、スタッド４の内部空間に配置される部分（以下「本体部分」という）５１ａと、スタッド４の外部空間に配置される部分（以下「張り出し部分」という）５１ｂと、本体部分５１ａと張り出し部分５１ｂとの境界に位置する部分（以下「境界部分」という）５１ｃとを有している。
【００３７】
平板部５１は略矩形形状であるため、四辺をそれぞれ構成する第１〜第４の端面６１〜６４を有している。第１および第４の端面６１，６４は、スタッド４の幅方向に沿って延び、互いに平行である。第２および第３の端面６２，６３は、スタッド４の奥行き方向に沿って延び、互いに平行である。この場合、切欠き部５３は、第２および第３の端面６２，６３から相手側の端面に向かって延びている。
【００３８】
平板部５１の第１の端面６１から切欠き部５３の位置までの長さＬ３は、スタッド４の奥行き方向の内寸に略等しい（奥行き方向の内寸と同じか、若干小さい）。２つの切欠き部５３間の距離Ｌ４は、スタッド４の開口４３ａの規定の幅寸法に略等しい（開口幅寸法と同じか、若干小さい）。なお、切欠き部５３の幅は、スタッド４の縁部４３ｂの厚み寸法に略等しい（厚み寸法と同じか、若干大きい）。
【００３９】
立上り部５２は、平板部５１の第１の端面６１側の端縁から上方に立ち上がるように配置されている。本実施の形態では、立上り部５２は、第１の端面６１側の端縁の全幅に亘って設けられている。
【００４０】
補強具５は、このように構成されることにより、２つの切欠き部５３にスタッド４の一対の縁部４３ｂが嵌め入れられると、本体部分５１ａの外縁を構成する複数の端面が、スタッド４の内側面に面接触する。具体的には、補強具５の第１の端面６１が、立上り部５２とともに、スタッド４の閉鎖面部４１の内表面に面接触する。第２の端面６２の一部、および第３の端面６３の一部が、一対の短辺部４２の内表面にそれぞれ面接触する。また、切欠き部５３の一方の側面５３ｂが縁部４３ｂの内表面に面接触する。
【００４１】
これにより、本体部分５１ａの４つ角部５４ａ〜５４ｄは、スタッド４の４つのコーナー部４４ａ〜４４ｄにぴったりと当接する。すなわち、本体部分５１ａの各角部を構成する略Ｌ字状の２つの面（外側を向く面）が、対応するスタッド４のコーナー部を構成する略Ｌ字状の２つの面（内側を向く面）にそれぞれ面接触する。このように、本体部分５１ａの各角部は、コーナー当接部として機能する。
【００４２】
具体的には、第１の端面６１と第２の端面６２とが交差する部分に位置する角部５４ａは、閉鎖面部４１側の一方のコーナー部４４ａに当接する。第１の端面６１と第３の端面６３とが交差する部分に位置する角部５４ｂは、閉鎖面部４１側の他方のコーナー部４４ｂに当接する。第２の端面６２と切欠き部５３とが交差する部分に位置する角部５４ｃは、開放面部４３側の一方のコーナー部４４ｃに当接する。第３の端面６３と切欠き部５３とが交差する部分に位置する角部５４ｄは、開放面部４３側の他方のコーナー部４４ｄに当接する。
【００４３】
なお、たとえば角部５４ａには、第１の端面６１の端部と第２の端面６２の端部とが含まれ、角部５４ａを構成する２つの面が、略Ｌ字状のコーナー部４４ａの２つの内側面にそれぞれ面接触する。他の角部とコーナー部との係合状態も同様である。
【００４４】
また、各角部の頂部（略Ｌ字状の２つの面の境界部分）は、面取りされていてもよい。この場合、各角部の頂部とコーナー部の頂部との間には、多少の隙間があってもよい。
【００４５】
さらに、上述のように、２つの切欠き部５３間の距離Ｌ４はスタッド４の開口４３ａの規定の幅寸法に略等しいため、設置状態において、切欠き部５３の先端面５３ａが、縁部４３ｂの端面に面接触する。また、切欠き部５３の幅はスタッド４の縁部４３ｂの厚み寸法に略等しいため、切欠き部５３の他方の側面５３ｃが、縁部４３ｂの外表面に面接触する。なお、切欠き部５３の先端面５３ａは、境界部分５１ｃの端面により構成される。
【００４６】
（間仕切り壁の施工方法について）
次に、間仕切り壁Ｗの施工方法について簡単に説明する。本実施の形態において、間仕切り壁Ｗの施工方法は、一対のランナー２，３を配置する工程Ｐ１、補強具５を準備する工程Ｐ２、スタッド４の上端部および下端部に補強具５をそれぞれ取り付ける工程Ｐ３、補強具５が取り付けられたスタッド４の上端部および下端部を、ランナー３，２にそれぞれ嵌め入れる工程Ｐ４を含む。なお、工程Ｐ１と、工程Ｐ２およびＰ３との施工順序は逆であってもよい。
【００４７】
工程Ｐ３においては、スタッド４の上下方向の端縁から補強具５がスタッド４に嵌め入れられる。上述のように、補強具５は立上り部５２および切欠き部５３を有しているため、補強具５の位置決めを容易に行うことができる。また、補強具５は、スタッド４の閉鎖面部４１、開放面部４３の一対の縁部４３ｂ、および短辺部４２のそれぞれに面接触する構成であるため、固定手段を別途設けなくても、接触面同士の摩擦抵抗によってスタッド４に取り付け保持することができる。
【００４８】
なお、スタッド４の上端部に取り付けられる補強具５は、立上り部５２がスタッド４の上端縁から食み出ないように、たとえば、スタッド４の上端を少し余して配置される。スタッド４の下端部に取り付けられる補強具５は、立上り部５２が下方を向くように上下反転させてもよい。
【００４９】
工程Ｐ４では、スタッド４の下端部を下側のランナー２に嵌め入れた後に、スタッド４の上端部を上側のランナー３に嵌め入れる。スタッド４の端部をランナー２，３に嵌め入れる際には、スタッド４を若干傾けて、たとえば閉鎖面部４１側から先にランナー２，３に嵌め入れられる。
【００５０】
（負荷時における補強具の機能について）
図１に示すような間仕切り壁Ｗに面外方向の荷重が加わり、図６（Ａ）に示すようにスタッド４の一方の短辺部４２に外方から大きな力が加えられた場合における補強具５の機能について説明する。上述のように、補強具５は、スタッド４の上端部および下端部にのみ（つまり、ランナー３，２に嵌め入れられた部分にのみ）取り付けられている。
【００５１】
スタッド４の一方の短辺部４２に大きな力が加えられた場合、スタッド４に捻じれの力が発生する。なお、スタッドが角型鋼である場合、せん断中心はスタッド４の内側（内部空間）に位置するのに対し、図６（Ａ）に示されるように、Ｃ型鋼であるスタッド４のせん断中心Ｃ１はスタッド４の外側（閉鎖面部４１の外側）に位置する。そのため、スタッド４は、角型鋼に比べて捻じれが生じやすい。
【００５２】
本実施の形態では、本体部分５１ａと張り出し部分５１ｂと境界部分５１ｃとを有する補強具５が、スタッド４の上端部および下端部に取り付けられているため、Ｃ型鋼であるスタッド４に捻じれの力が生じたとしても、スタッド４が変形することを防止することができる。その結果、スタッド４がランナー２，３から脱落してしまうことを防止することができる。
【００５３】
ここでまず、比較例として、Ｃ型鋼であるスタッド４に一般的なスペーサを使用した場合のスタッド４の形状の変化について説明する。図６（Ｂ）を参照して、スタッド４の一対の縁部４３間には、スペーサ１００が取り付けられている。スペーサ１００は、各縁部４３ｂを挟持する挟持部１０１と、２つの挟持部１０１を接続し、一対の縁部３２ｂ間に架け渡される接続部１０２とを有している。
【００５４】
比較例のような壁構造において、スタッド４に面外方向の負荷が掛かった場合、一対の縁部４３ｂはスペーサ１００の接続部１０２によって突っ張られるため、縁部４３ｂの間隔（つまり、スタッド４の開口幅）が縮まることを抑制できる。また、各縁部４３ｂはスペーサ１００の挟持部１０１によって挟持されているため、縁部４３ｂ自体の変形を抑制できる。
【００５５】
住宅の壁の柱材としてスタッド４を使う場合であれば、それほど大きな負荷が掛かることはないが、倉庫の壁の柱材としてスタッド４を使う場合、大きな負荷が掛かるケースがある。比較例の壁構造において、スタッド４の面外方向に大きな負荷が掛かった場合、図６（Ｂ）に示されるように、スペーサ１００だけでは、スタッド４の全体形状が長方形から平行四辺形に変形してしまう可能性がある。
【００５６】
つまり、スタッド４のコーナー部４４ａ〜４４ｄのうちの対角線上に位置する２つのコーナー部４４ｂおよび４４ｃ（または、４４ａおよび４４ｄ）の角度は９０°未満に変形する。そうすると、ランナー内に位置するこれらのコーナー部４４ｂ，４４ｃ（図６（Ｂ）において円で囲われた部分）は、ランナーに当たって曲がってしまう。この場合、スタッド４は大きく捻じれるため、スタッド４がランナーから離脱してしまう可能性が高まる。
【００５７】
これに対し、本実施の形態では、補強具５が、スタッド４の縁部４３ｂ間のスペーサの機能だけでなく、スタッド４のコーナー部の角度の変形を防止する機能を有しているため、スタッド４の捻じれをより抑制できる。
【００５８】
具体的には、スタッド４の各縁部４３ｂは、本体部分５１ａおよび張り出し部分５１ｂによって挟持され、かつ、縁部４３ｂの端面は、本体部分５１ａおよび張り出し部分５１ｂと一体的に設けられた境界部分５１ｃの端面と当接している。そのため、スタッド４に捻じれの力が作用した場合でも、境界部分５１ｃによって一対の縁部４３ｂの端面が突っ張られるため、一対の縁部４３ｂの間隔が縮まることを防止できるとともに、縁部４３ｂ自体の変形を防止できる。
【００５９】
また、スタッド４の閉鎖面部４１側の幅方向両端に位置するコーナー部４４ａ，４４ｂには、補強具５の本体部分５１ａの２つの角部５４ａ，５４ｂが、それぞれＬ字状に面接触している。そのため、スタッド４に比較的強い捻じれの力が作用しても、スタッド４の閉鎖面部４１側のコーナー部４４ａ，４４ｂの角度の変形が防止される。より具体的には、コーナー部４４ａ，４４ｂのいずれか一方の角度が９０°未満に変形することを防止できる。これにより、スタッド４が平行四辺形に変形することを防止することができる。したがって、本実施の形態では、ランナー内に位置するコーナー部４４ｂ，４４ｃ（図６（Ａ）において円で囲われた部分）が、ランナーに当たって曲がるという不具合を解消できる。
【００６０】
さらに、本実施の形態では、スタッド４の開放面部４３側の幅方向両端に位置するコーナー部４４ｃ，４４ｄにも、補強具５の本体部分５１ａの残りの角部５４ｃ，５４ｄが、それぞれＬ字状に面接触している。この場合、スタッド４に捻じれの力が作用した場合、スタッド４の開放面部４３側のコーナー部４４ｃ，４４ｄの角度の変形も防止できるため、スタッド４の変形をより十分に防止することができる。
【００６１】
また、スタッド４の各縁部４３ｂは、本体部分５１ａおよび張り出し部分５１ｂによって直交状態で挟み込まれているため、スタッド４に大きな捻じれの力が生じたとしても、補強具５の本体部分５１ａがスタッド４の開口４３ａから抜け出てしまうことを防止することができる。つまり、本体部分５１ａによって縁部４３ｂが内側から押されたとしても、縁部４３ｂが外側に開いてしまうことを防止することができる。
【００６２】
以上説明した補強具５の基本的な機能を、図７に概念的に示す。補強具５は、スタッド４の一対の縁部４３ｂの間隔が縮まることを防止する間隔維持部７１と、閉鎖面部４１の幅方向両端に位置する２つのコーナー部４４ａ，４４ｂの角度が変形することを防止する角度維持部７２と、間隔維持部７１および角度維持部７２を連結する連結部７３と含む。
【００６３】
間隔維持部７１は、本体部分５１ａの奥行き方向一方側（切欠き部５３側）の端部領域と、張り出し部分５１ｂと、境界部分５１ｃとで構成される。すなわち、本体部分５１ａの端部領域と、張り出し部分５１ｂとが、スタッド４の各縁部４３ｂを挟み込む挟持部を構成し、境界部分５１ｃが、この挟持部同士を接続する接続部を構成する。なお、縁部４３ｂの端面に当接する境界部分５１ｃの端部も、挟持部に含まれるとみなしてもよい。
【００６４】
角度維持部７２は、本体部分５１ａの奥行き方向他方側（立上り部５２側）の端部領域で構成される。つまり、角度維持部７２には、本体部分５１ａの２つの角部５４ａ，５４ｂと、これら角部５４ａ，５４ｂを接続する接続部とを含む。
【００６５】
連結部７３は、本体部分５１ａの奥行き方向中央領域で構成される。なお、本実施の形態において、本体部分５１ａの残りの角部５４ｃ，５４ｄと、これら角部５４ｃ，５４ｄを接続する接続部とを含む部分７４は、スタッド４のコーナー部の角度維持と、スタッド４の開口幅維持との双方に寄与している。
【００６６】
補強具５が、このように、間隔維持部７１、角度維持部７２、および連結部７３を含むことによって、負荷時におけるスタッド４の変形を防止または抑制することができる。これにより、スタッド４がランナー２，３内で回転することによって、ランナー２，３からスタッド４が離脱することを防止することができる。
【００６７】
また、その結果、間仕切り壁Ｗの柱材として、Ｃ型鋼であるスタッド４を用いたとしても、間仕切り壁Ｗの強度を高く維持することができる。つまり、間仕切り壁Ｗの構造を、高い耐荷重性を要する倉庫の間仕切り壁に採用することができる。本実施の形態における間仕切り壁Ｗは、倉庫業法で規定された強度、すなわち２５００Ｎ／ｍ２以上の荷重にも耐えることができる。
【００６８】
また、本実施の形態では、補強具５が一枚の薄板を加工して形成されているため、補強具５の製造コストを低く抑えることができる。また、補強具５自体の強度を向上できる。
【００６９】
また、本実施の形態では、補強具５が立上り部５２を有しているため、補強具５とスタッド４の閉鎖面部４１との間に生じる摩擦抵抗を大きくできる。これにより、補強具５の落下を防止することができる。つまり、立上り部５２によって、滑り止めの効果が得られる。
【００７０】
（立上り部の変形例）
本実施の形態では、補強具５の立上り部５２が、平板部５１に対して直角に折り曲げられている例を示したが、図８に示す補強具５Ａのように、立上り部５２Ａと平板部５１とのなす角度を鈍角とし、立上り部５２Ａに板バネの機能を付加してもよい。これにより、補強具５Ａの落下をより確実に防止できる。
【００７１】
ただし、この場合、立上り部５２Ａの反発力によって、スタッド４の閉鎖面部４１側の２つのコーナー部４４ａ，４４ｂと平板部５１の角部５４ａ，５４ｂとが不接触状態となるのを阻止するために、立上り部５２Ａは、平板部５１の（第１の端面６１側の）端縁のうち角部５４ａ，５４ｂを除く部分にのみ設けられることが望ましい。
【００７２】
また、平板部５１の第２の端面６２および第３の端面６３側の端縁にも、スタッド４の短辺部４２に接触する立上り部５２Ｂが設けられていてもよい。立上り部５２Ｂもまた、板バネの機能を有していてもよい。あるいは、補強具５Ａは、スタッド４の閉鎖面部４１に当接する立上り部５２Ａを有さず、短辺部４２に当接する立上り部５２Ｂのみを有していてもよい。
【００７３】
（補強具の他の構成例）
本実施の形態では、補強具５が、略矩形形状の板状部材により構成されることとしたが、間隔維持部と角度維持部と連結部とを有していれば、補強具の形状は特に限定されない。補強具の他の構成例を図９に示す。
【００７４】
図９に示す補強具５Ｂの間隔維持部７１Ａは、スペーサのような形状である。すなわち、間隔維持部７１Ａは、スタッド４の各縁部４３ｂを挟み込む挟持部８１と、挟持部８１同士を接続する接続部８２とを有している。
【００７５】
補強具５Ｂの角度維持部７２Ａは、スタッド４のコーナー部４４ａ，４４ｂに当接する２つのコーナー当接部８３と、コーナー当接部８３同士を接続する接続部８４とを有している。コーナー当接部８３は、角材によって構成され、接続部８２，８４は、棒材によって構成されている。連結部７３Ａもまた、二つの接続部８２，８４を連結する棒材により構成されてもよい。
【００７６】
あるいは、図１０に示す補強具５Ｃのように、間隔維持部７１Ｂは、上記した挟持部８１および接続部８２に代えて、スタッド４の開放面部４３の幅方向両端に位置するコーナー部４４ｃ，４４ｄの互いに対面する内側面同士を突っ張る突っ張り部８５を有していてもよい。この突っ張り部８５の両端には、スタッド４の短辺部４２の内表面に面接触する面部材８６が接続されている。
【００７７】
あるいは、補強具は、連結部を有さず、間隔維持部を構成する部品と、角度維持部を構成する部品とを個別に有していてもよい。
【００７８】
（他の変形例）
上記実施の形態では、スタッド４の外形は略長方形状であることとしたが、略正方形状であってもよい。また、補強具５は、スタッド４の上端部および下端部の少なくとも一方に取り付けられていればよい。
【００７９】
また、上記実施の形態および各変形例に示した壁構造は、倉庫の間仕切り壁Ｗに適した構造であるとして説明したが、限定的ではない。たとえば、倉庫の外壁であってもよいし、倉庫以外の建物の壁の構造であってもよい。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１  建物の壁構造、２，３  ランナー、４  スタッド、５，５Ａ，５Ｂ，５Ｃ  補強具、４１  閉鎖面部、４２  短辺部（直交面部）、４３  開放面部、４３ａ  開口、４３ｂ  縁部、４４ａ〜４４ｄ  コーナー部、５１  平板部、５２，５２Ａ，５２Ｂ  立上り部、５３  切欠き部、５４ａ〜５４ｄ  角部、６１〜６４  第１〜第４の端面、７１，７１Ａ，７１Ｂ  間隔維持部、７２，７２Ａ  角度維持部、７３，７３Ａ  連結部、８０  面材、８１，１０１  挟持部、８２，８２，８４，８４，１０２  接続部、８３  コーナー当接部、８５  突っ張り部、８６  面部材、９０  仕切り面（仮想面）、９１，９２  躯体部、１００  スペーサ、Ｃ１  ねじれの中心点、Ｗ  間仕切り壁。
【図１】
2019116738.tif 000003
【図２】
2019116738.tif 000004
【図３】
2019116738.tif 000005
【図４】
2019116738.tif 000006
【図５】
2019116738.tif 000007
【図６】
2019116738.tif 000008
【図７】
2019116738.tif 000009
【図８】
2019116738.tif 000010
【図９】
2019116738.tif 000011
【図１０】
2019116738.tif 000012